(57)【要約】【課題】収納性に優れるとともに、椅子にサイズを合わせたり、フィット性を高めて保温性を向上させるようにした背もたれ付座布団を提供すること。【解決手段】シート状の座部１と、該座部１の後部に折曲可能に接続されたシート状の背もたれ部２と、座部１の両側に折曲可能に接続されるとともに、座部１の後方に所要長さ延設されたシート状の袖部３とを備え、背もたれ部２の背面に各袖部３の延設部４を添設し、各延設部４と背もたれ部２を、面ファスナー６により位置調節可能かつ着脱可能に固定できるようにする。【選択図】図１
2007330655.tif 000002
【特許請求の範囲】
【請求項１】
座部と、該座部の後部に折曲可能に接続された背もたれ部と、座部の両側に折曲可能に接続されるとともに、座部の後方に所要長さ延設された袖部とを備え、背もたれ部の背面に各袖部の延設部を添設し、各延設部と背もたれ部又は延設部同士を位置調節可能かつ着脱可能に固定できるようにしたことを特徴とする背もたれ付座布団。
【請求項２】
座部と、該座部の後部に折曲可能に接続された背もたれ部と、背もたれ部の側方から所要長さ延設された袖部とを備え、座部に各袖部を添設し、各袖部を座部に位置調節可能かつ着脱可能に固定できるようにしたことを特徴とする背もたれ付座布団。
【請求項３】
座布団の芯材を、表側に配設した連続気泡性発泡樹脂と、裏側に配設した独立気泡性発泡樹脂の積層体により構成したことを特徴とする請求項１又は２記載の背もたれ付座布団。
【請求項４】
金属箔、金属板等からなる変形可能な背面材を配設したことを特徴とする請求項１、２又は３記載の背もたれ付座布団。
【発明の詳細な説明】
【技術分野】
【０００１】
本発明は、背もたれ付座布団に関し、特に、収納性に優れるとともに、椅子にサイズを合わせたり、フィット性を高めて保温性を向上させるようにした背もたれ付座布団に関するものである。
【背景技術】
【０００２】
一般に、職場などでは夏場にエアコンをつけて温度を下げているが、冷房が強すぎたりした場合には、腰部に冷えを強く感じることがあり、特に、女性の場合には、腰部が冷えすぎると体調を崩したりすることがあった。
【０００３】
そこで、下記の特許文献１に開示されるように、腰の周囲を取り囲むように、座部の両側から後部にかけて防寒用の背もたれ部を立設した背もたれ付座布団が提案されている。
【０００４】
しかしながら、この従来の背もたれ付座布団は、背もたれ部が座部から固定状態で立設されているため、収納に不自由する上、肘掛け付椅子に取り付ける場合にサイズが合わなかったり、使用者の体格に合わせることができず、フィット性が悪い場合は保温性も低下するなどの問題を有している。
【特許文献１】特開平９−２７１４２８号公報
【発明の開示】
【発明が解決しようとする課題】
【０００５】
本発明は、上記従来の背もたれ付座布団が有する問題点に鑑み、収納性に優れるとともに、椅子にサイズを合わせたり、フィット性を高めて保温性を向上させるようにした背もたれ付座布団を提供することを目的とする。
【課題を解決するための手段】
【０００６】
上記目的を達成するため、本第１発明の背もたれ付座布団は、座部と、該座部の後部に折曲可能に接続された背もたれ部と、座部の両側に折曲可能に接続されるとともに、座部の後方に所要長さ延設された袖部とを備え、背もたれ部の背面に各袖部の延設部を添設し、各延設部と背もたれ部又は延設部同士を位置調節可能かつ着脱可能に固定できるようにしたことを特徴とする。
【０００７】
また、同じ目的を達成するため、本第２発明の背もたれ付座布団は、座部と、該座部の後部に折曲可能に接続された背もたれ部と、背もたれ部の側方から所要長さ延設された袖部とを備え、座部に各袖部を添設し、各袖部を座部に位置調節可能かつ着脱可能に固定できるようにしたことを特徴とする。
【０００８】
この場合において、座布団の芯材を、表側に配設した連続気泡性発泡樹脂と、裏側に配設した独立気泡性発泡樹脂の積層体により構成することができる。
【０００９】
また、金属箔、金属板等からなる変形可能な背面材を配設することができる。
【発明の効果】
【００１０】
本第１発明の背もたれ付座布団によれば、座部と、該座部の後部に折曲可能に接続された背もたれ部と、座部の両側に折曲可能に接続されるとともに、座部の後方に所要長さ延設された袖部とを備え、背もたれ部の背面に各袖部の延設部を添設し、各延設部と背もたれ部又は延設部同士を位置調節可能かつ着脱可能に固定できるようにすることにより、また、本第２発明の背もたれ付座布団によれば、座部と、該座部の後部に折曲可能に接続された背もたれ部と、背もたれ部の側方から所要長さ延設された袖部とを備え、座部に各袖部を添設し、各袖部を座部に位置調節可能かつ着脱可能に固定できるようにすることにより、展開状態では平らになり収納性に優れるとともに、袖部の延設部を位置調節して固定したり、袖部を座部に位置調節して固定することにより、背もたれ部の幅を変更することができ、これにより、椅子にサイズを合わせて取り付けられる大きさにしたり、使用者の体格にサイズを合わせてフィット性を高め、背もたれ部及び袖部を設けたことと相俟って、保温性を向上させることができる。
【００１１】
また、座布団の芯材を、表側に配設した連続気泡性発泡樹脂と、裏側に配設した独立気泡性発泡樹脂の積層体により構成することにより、座布団の表側にクッション性を付与するとともに、裏側で保形性と弾性を保持することができ、また、このような適度に柔らかくかつ弾性を備えた芯材を用いることにより、背もたれ部や袖部に自然な曲線をきれいに作り、フィット性をより高めることができる。
【００１２】
また、金属箔、金属板等からなる変形可能な背面材を配設することにより、保温性と保形性を向上させることができる。
【発明を実施するための最良の形態】
【００１３】
以下、本発明の背もたれ付座布団の実施の形態を、図面に基づいて説明する。
【実施例１】
【００１４】
図１〜図４に、本発明の背もたれ付座布団の第１実施例を示す。
この背もたれ付座布団は、シート状の座部１と、該座部１の後部に折曲可能に接続されたシート状の背もたれ部２と、座部１の両側に折曲可能に接続されるとともに、座部１の後方に所要長さ延設されたシート状の袖部３とを備えている。
そして、この背もたれ付座布団は、背もたれ部２の背面に各袖部３の延設部４を添設し、各延設部４と背もたれ部２を、面ファスナー６ａ、６ｂにより位置調節可能かつ着脱可能に固定できるようにしている。
【００１５】
座部１、背もたれ部２及び袖部３は、特に限定されるものではないが、例えば、それぞれ厚さ３〜４ｃｍ程度芯材５をボア地等の布地で被覆したものからなり、座部１と背もたれ部２は、若干の間隔を設けた状態で布地のみで接続されている。
この座部１と背もたれ部２の間の接続部１１は、横幅が少し狭く形成されており、前後方向に設けた数センチの幅と相俟って、袖部３の延設部４を深く固定したり浅く固定したりする際のアジャスタ部として機能するようにしている。なお、接続部１１を柔軟な布地で形成することによって、座部１と背もたれ部２の全幅に亘って接続部１１を形成することもできる。
また、座部１と袖部３は、独立した芯材５が隣接する状態で、やはり布地のみで接続されている。
なお、本実施例では、袖部３の前後長は１５〜２０ｃｍ、このうち延設部４の前後長は約１０センチとしている。また、同様に、座部１の横幅は約４５ｃｍ、背もたれ部２の高さは約３０ｃｍとしている。
また、座部１の裏面には、必要に応じて、ゴム引き等の滑り止め手段を施すことができる。
また、本実施例では、座部１と背もたれ部２は、若干の間隔を設けた状態で接続部１１を介して布地のみで接続し、座部１と袖部３は、独立した芯材５が隣接する状態で布地のみで接続するようにしたが、接続方法はこれに限定されず、例えば、面ファスナー等を用いて位置調節可能かつ着脱可能（分離可能）に接続することもでき、本発明は、このような接続方法を排除するものでない。そして、座部１、背もたれ部２及び袖部３を着脱可能（分離可能）に接続することにより、後述する背もたれ部２等の形状の変更をより容易にできるとともに、収納時の嵩を小さくすることができる。
【００１６】
座布団の芯材５は、図３（ｃ）に示すように、表側に配設した連続気泡性発泡樹脂５１と、裏側に配設した独立気泡性発泡樹脂５２の積層体により構成されており、独立気泡性発泡樹脂５２の背面には、変形可能な背面材としての厚手のアルミニウム箔５３が貼着又は組み込まれている。
連続気泡性発泡樹脂５１としては、例えば、ポリウレタン系樹脂を好適に使用することができ、独立気泡性の発泡樹脂としては、例えば、ポリエチレン系樹脂を好適に使用することができる。
これにより、座布団の表側にクッション性を付与するとともに、裏側で保形性と弾性を保持し、また、背面のアルミニウム箔５３を配設するにより、保温性と保形性を高めるようにしている。
なお、座布団に保温性と保形性を付与する変形可能な背面材としてのアルミニウム箔５３は、他の金属箔、金属板等でもよく、また、芯材５とは別体で構成し、芯材５と共に布地で被覆して配設するようにしてもよい。
そして、この金属箔、金属板等からなる変形可能な背面材を配設することにより、座布団に保温性と保形性を付与する構成は、本発明の背もたれ付座布団以外の一般の座布団にも適用することができる。
また、上記のように、適度に柔らかくかつ弾性を備えた芯材５を用いることにより、組立状態で、背もたれ部２や袖部３に自然な曲線をきれいに作ることができ、これにより、フィット性をより高めることができる。
【００１７】
袖部３の延設部４と背もたれ部２の固定は、特に限定されるものでないが、例えば、図１又は図３（ｂ）に示すように、袖部３の表面に固定した面ファスナー６ａと、背もたれ部２の裏面に固定した面ファスナー６ｂとにより行うことができる。
また、図３（ａ）に示すように、袖部３の延設部４は、背もたれ部２の背面に回した延設部４同士を面ファスナー６ａ、６ｂにより固定することもできる。
この場合、図１（ｃ）に示すように、袖部３の延設部４を深い位置で止めると椅子の幅が小さくなり、図３（ｂ）に示すように、浅い位置で止めると椅子の幅が大きくなる。
なお、袖部３の延設部４の固定は、面ファスナー６ａ、６ｂに限らず、複数のホックやベルト等によっても行うことができる。
【００１８】
また、本実施例においては、袖部３の延設部４を背もたれ部２の背面にかけて配設するようにし、これにより、背もたれ部２の背面に位置する袖部３の延設部４が、使用者の腰や背中に当たり、指圧のような効果をもたらすことができるようにしたが、袖部３の延設部４の長さは任意に設定することができる。
【００１９】
また、この背もたれ付座布団を椅子７に設置する場合は、図４（ａ）に示すように、単に背もたれ付座布団を椅子７に乗せただけでは、背もたれ部２と椅子の背もたれ７１との間が開く場合がある。
そのため、図４（ｂ）に示すように、背もたれ部２の上部に紐状体２１を設け、この紐状体２１を椅子の背もたれ７１の上から背もたれアーム７２に固定することにより、背もたれ部２が後方に引っ張られ、背もたれ付座布団の形がよくなり、また、背もたれ付座布団の椅子への設置状態も安定する。
【００２０】
かくして、本実施例の背もたれ付座布団は、座部１と、該座部１の後部に折曲可能に接続された背もたれ部２と、座部１の両側に折曲可能に接続されるとともに、座部１の後方に所要長さ延設された袖部３とを備え、背もたれ部２の背面に各袖部３の延設部４を添設し、各延設部４と背もたれ部２又は延設部４同士を位置調節可能かつ着脱可能に固定できるようにしているので、展開状態では平らになり収納性に優れるとともに、袖部３の延設部４を位置調節して固定することにより、背もたれ部２の幅を変更することができ、これにより、椅子にサイズを合わせて取り付けられる大きさにしたり、使用者の体格にサイズを合わせてフィット性を高め、背もたれ部２及び袖部３を設けたことと相俟って、保温性、特に、腰回りの保温性を向上させることができる。
【００２１】
また、座布団の芯材５を、表側に配設した連続気泡性発泡樹脂５１と、裏側に配設した独立気泡性発泡樹脂５２の積層体により構成することにより、座布団の表側にクッション性を付与するとともに、裏側で保形性と弾性を保持することができ、また、このような適度に柔らかくかつ弾性を備えた芯材５を用いることにより、背もたれ部２や袖部３に自然な曲線をきれいに作り、フィット性をより高めることができる。
【００２２】
また、アルミニウム箔５３等からなる変形可能な背面材を配設することにより、保温性と保形性を向上させることができる。
【実施例２】
【００２３】
図５〜図６に、本発明の背もたれ付座布団の第２実施例を示す。
この背もたれ付座布団は、シート状の座部１と、該座部１の後部に折曲可能に接続されたシート状の背もたれ部２と、背もたれ部２の側方から所要長さ延設された袖部３とを備えている。
そして、この背もたれ付座布団は、座部１に各袖部２を添設し、各袖部２を座部１に、各袖部２と座部１とに配設した面ファスナー６ｃ、６ｄにより位置調節可能かつ着脱可能に固定できるようにしている。
【００２４】
本実施例においては、各袖部２と座部１とに配設した面ファスナー６ｃ、６ｄは、各袖部２を座部１の表面に固定できるようにしているが、このほか、各袖部２を座部１の側面に固定できるようにしてもよい。
【００２５】
また、本実施例においては、背もたれ部２の側方から所要長さ延設された袖部３の延設部４を背もたれ部２の背面全体にかけて配設するようにし、これにより、背もたれ部２の背面に位置する袖部３の延設部４が、使用者の腰や背中に当たり、指圧のような効果をもたらすことができるようにしたが、袖部３を背もたれ部２の側方から単に延設するようにしてもよい。
なお、袖部３は、座部１に固定して、背もたれ部２の側方から所要長さ延設するようにしてもよい。
【００２６】
かくして、本実施例の背もたれ付座布団は、座部１と、該座部１の後部に折曲可能に接続された背もたれ部２と、背もたれ部２の側方から所要長さ延設された袖部３とを備え、座部１に各袖部２を添設し、各袖部２を座部１に位置調節可能かつ着脱可能に固定できるようにしているので、展開状態では平らになり収納性に優れるとともに、袖部３を座部１に位置調節して固定することにより、袖部３の延設部４を位置調節して固定することにより、背もたれ部２の幅を変更することができ、これにより、椅子にサイズを合わせて取り付けられる大きさにしたり、使用者の体格にサイズを合わせてフィット性を高め、背もたれ部２及び袖部３を設けたことと相俟って、保温性、特に、腰回りの保温性を向上させることができる。
なお、本実施例のその他の構成及び作用は、上記第１実施例の背もたれ付座布団と同様である。
【００２７】
以上、本発明の背もたれ付座布団について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００２８】
本発明の背もたれ付座布団は、収納性に優れるとともに、椅子にサイズを合わせたり、フィット性を高めて保温性を向上させるという特性を有していることから、例えば、床置きで単独で使用したり、椅子に取り付けて使用する背もたれ付座布団として好適に使用することができる。
【図面の簡単な説明】
【００２９】
【図１】本発明の背もたれ付座布団の第１実施例を示し、（ａ）は展開した状態の平面図、（ｂ）は袖部の延設部を浅く固定した組立状態を示す平面図、（ｃ）は袖部の延設部を深く固定した組立状態を示す平面図である。
【図２】同背もたれ付座布団を示し、（ａ）は斜視図、（ｂ）は側面図、（ｃ）は背面図である。
【図３】同背もたれ付座布団を示し、（ａ）は袖部の延設部同士を固定する実施例を示す展開平面図、（ｂ）は袖部の延設部を背もたれ部の背面に固定する実施例を示す展開平面図、（ｃ）は芯材の実施例を示す断面図である。
【図４】同背もたれ付座布団の椅子への取付例を示し、（ａ）は椅子にそのまま乗せた状態を示す側面図、（ｂ）は、背もたれ部を紐により椅子の背もたれアームに固定した状態を示す側面図である。
【図５】本発明の背もたれ付座布団の第２実施例を示し、（ａ）は展開した状態の平面図、（ｂ）は袖部の延設部を浅く固定した組立状態を示す平面図、（ｃ）は袖部の延設部を深く固定した組立状態を示す平面図である。
【図６】同背もたれ付座布団を示し、（ａ）は斜視図、（ｂ）は側面図、（ｃ）は背面図である。
【符号の説明】
【００３０】
１    座部
１１  接続部
２    背もたれ部
２１  紐状体
３    袖部
４    延設部
５    芯材
５１  連続気泡性発泡樹脂
５２  独立気泡性発泡樹脂
５３  アルミニウム箔
６ａ  面ファスナー
６ｂ  面ファスナー
６ｃ  面ファスナー
６ｄ  面ファスナー
７    椅子
７１  背もたれ
７２  背もたれアーム
【図１】
2007330655.tif 000003
【図２】
2007330655.tif 000004
【図３】
2007330655.tif 000005
【図４】
2007330655.tif 000006
【図５】
2007330655.tif 000007
【図６】
2007330655.tif 000008